(57)【要約】【課題】メディアに応じて入力色データーと出力色データーとの関係を変更できるとともに、情報量を少なくすることが可能なカラーマネージメントを提供する。【解決手段】単色の色成分値から成る第一の出力色データーに応じた色材を所定メディアに記録して得られる出力値を取得し、前記取得された出力値に基づいて、前記第一の出力色データーの色成分値を含む混色の第二の出力色データーを取得し、前記第一の前記出力色データーと、取得された前記第二の出力色データーとを対応付けて、前記基準プロファイルの出力色データーを変換する変換値を記録した変換用プロファイルを取得する。【選択図】図５
2013135243.tif 000002
【特許請求の範囲】
【請求項１】
基準プロファイルを用いて取得された単色の色成分値から成る第一の出力色データーに応じた色材を所定のメディアに記録して得られる出力値を取得する出力値取得手段と、
前記取得された出力値に基づいて、前記第一の出力色データーの色成分値を含む混色の第二の出力色データーを取得する変換値取得手段と、
前記第一の出力色データーと、取得された前記第二の出力色データーとを対応付けて、前記基準プロファイルの出力色データーを変換する変換値を記録した変換用プロファイルを取得する変換プロファイル取得手段と、を有する印刷制御装置。
【請求項２】
前記出力値取得手段は、前記第一の出力色データーにより所定メディアに記録される色材の分光反射率を前記出力値として取得する、請求項１に記載の印刷制御装置。
【請求項３】
前記出力値取得手段は、光源を変化させて得られた複数の前記分光反射率を平均して、前記出力値を取得する、請求項２に記載の印刷制御装置。
【請求項４】
前記出力色データーは、インク量である、請求項１から請求項３のいずれか一項に記載の印刷制御装置。
【請求項５】
前記変換値取得手段は、色材をメディアに記録できる量を示すデューティー制限値を考慮しつつ前記第二の出力色データーを取得する、請求項１から請求項４のいずれか一項に記載の印刷制御装置。
【請求項６】
コンピューターに、
基準プロファイルを用いて取得された単色の色成分値から成る第一の出力色データーに応じた色材を所定のメディアに記録して得られる出力値を取得する出力値取得機能と、
前記取得された出力値に基づいて、前記第一の出力色データーの色成分値を含む混色の第二の出力色データーを取得する変換値取得機能と、
前記第一の出力色データーと、取得された前記第二の出力色データーとを対応付けて、前記基準プロファイルの出力色データーを変換する変換値を記録した変換用プロファイルを取得する変換プロファイル取得機能と、を実現させるプログラム。
【請求項７】
前記請求項１に記載された変換用プロファイル及び前記基準プロファイルと、を記録する記録手段と、
前記基準プロファイルと前記変換用プロファイルと、を用いて、所定のメディアに応じて、入力色データーを出力色データーに変換して、印刷を行う印刷実行手段と、を有する印刷装置。
【発明の詳細な説明】
【技術分野】
【０００１】
本発明は、所定の色空間で規定された入力色データーを所定の色空間で規定された出力色データーに変換するカラーマネージメントに関する。
【背景技術】
【０００２】
従来、ｓＲＧＢ色空間やＣＭＹＫ色空間で規定された入力色データーを、機器依存の色空間の値に変換するために、ＩＣＣ（International Color Consortium）プロファイル等のカラーマネージメントが知られている。このようなカラーマネージメントでは、例えば、機器非依存の入力色データーと機器依存の出力色データーとを対応づけるプロファイルを用いて変換処理を行う（例えば、特許文献１参照。）。
【先行技術文献】
【特許文献】
【０００３】
【特許文献１】特開平９−１８６８９８号公報
【発明の概要】
【発明が解決しようとする課題】
【０００４】
色材が記録されるメディアが異なる場合、当然、色の見え方も変化する。そのため、厳密に入力色データーと出力色データーとを対応付けるためには、メディアの種別に応じて、異なるプロファイルを用意しておくことが望ましい。しかしながら、入力色データーの数及び出力色データーの数が多くなれば、１つのプロファイルの情報量も多くなる。そのため、機器が複数のプロファイルを個別に持つことは多くのメモリ容量を使用することに繋がり、好ましくない。
【０００５】
本発明は、上記課題にかんがみてなされたもので、メディアに応じて入力色データーと出力色データーとの関係を変更できるとともに、情報量を少なくすることが可能なカラーマネージメントの提供を目的とする。
【課題を解決するための手段】
【０００６】
上記課題を解決するために、本発明では、基準プロファイルにより取得された単色の色成分値から成る第一の出力色データーに応じた色材を所定のメディアに記録して得られる出力値を取得し、前記取得された出力値に基づいて、前記第一の出力色データーの色成分値を含む混色の第二の出力色データーを取得し、前記第一の前記出力色データーと、取得された前記第二の出力色データーとを対応付けて、前記基準プロファイルの出力色データーを変換する変換値を記録した変換用プロファイルを取得する。
【０００７】
上記のように構成された発明では、メディアに応じて、基準プロファイルにより規定される出力色データーを変換する変換用プロファイルを取得することができる。この変換用プロファイルは、メディア毎の出力値の見栄えが一致するよう単色の色成分値から成る出力色データーを混色の色成分値から成る出力色データーに変換するものである。そのため、基準プロファイルと、この基準プロファイルと比べて情報量が少ない変換用プロファイルとを保持するだけで、従来のように入力色データーと出力色データーとの関係を規定するプロファイルをメディアに応じて個別に記録するのと同様の機能を奏することができ、且つ、情報量を少なくすることができる。
【図面の簡単な説明】
【０００８】
【図１】印刷装置１０の構成を説明するブロック構成図である。
【図２】印刷装置１０により実行される印刷処理を説明するフローチャートである。
【図３】４ＤＬＵＴを説明する図である。
【図４】１ＤＬＵＴを説明する図である。
【図５】１ＤＬＵＴｉの作成を説明するフローチャートである。
【図６】１ＤＬＵＴｉの作成を説明する図である。
【図７】一例としての色予測モデルを説明する図である。
【発明を実施するための形態】
【０００９】
以下、この発明に係る第１の実施の形態について説明する。
図１は、印刷装置１０の構成を説明するブロック構成図である。また、図２は、印刷装置１０により実行される印刷処理を説明するフローチャートである。そして、図３は、４ＤＬＵＴを説明する図である。さらに、図４は、１ＤＬＵＴを説明する図である。
【００１０】
（１）印刷装置の構成
図１に示すように印刷装置１０は、ホストコンピューター１と、プリンター２とがネットワーク又はフレキシブルケーブルに接続されて構成されている。
【００１１】
ホストコンピューター１は、例えば、パーソナルコンピューターにより構成される。ホストコンピューター１は、その内部に、ＣＰＵ（Central Processing Unit）等の演算部や、ＨＤＤ(Hard Disk Drive)等の記録部を供えている。そして、ホストコンピューター１の記録部には、ドライバープログラムが記録されている。このドライバープログラムにより、印刷要求時には、印刷装置１０はユーザー操作等に基づいて、当該プリンタードライバー１１が画像データーと制御コマンドを含む印刷データーを生成してプリンター２に送信する。なお、ここでは、プリンタードライバー１１がプリンター２に送信するデーターはＰＤＬ（Page Description Language）で記述されているものとする。
また、プリンタードライバー１１用の当該プログラムは、インターネット等のネットワークを介して所定のサイトからダウンロードすることにより、あるいは、ＣＤなどの記憶媒体から、ホストコンピューター１にインストールすることができる。
【００１２】
プリンター２は、レーザープリンターや、インクジェットプリンターである。プリンター２は、コントローラー２１及び印刷機構２２と、を備えている。
【００１３】
コントローラー２１は、ホストコンピューター１からの印刷要求を受けて印刷機構２２に印刷指示を出す処理などを司り、図１に示すように、Ｉ／Ｆ２３、ＣＰＵ２４、ＲＯＭ２５、ＲＡＭ２６、及びエンジンＩ／Ｆ２７を備える。
【００１４】
Ｉ／Ｆ２３は、ホストコンピューター１から送信される前記印刷データーを受信する部分である。
また、ＣＰＵ２４は、コントローラー２１において行われる各種処理を制御する。即ち、ＣＰＵ２４は、ホストコンピューター１から印刷要求を受けた際には、受信した印刷データーに含まれる画像データーに所定の画像処理を施して印刷機構２２側へ出力するためのビットマップデーター（各色のプレーンデーター）を生成する処理、前記印刷データーに含まれる制御コマンドを解釈して印刷機構２２に対して適切な印刷処理を指示する処理等を司る。
【００１５】
ＲＡＭ２６は、受信した印刷データー、各処理後の画像データー等を格納するメモリであり、前述した各色のビットマップデーター（プレーンデーター）を格納する。上記色変換処理に関しては、当該処理の入力データーである入力色データーと処理後のデーターである出力色データーがここに保持される。これらのデーターの内容については後述する。
【００１６】
ＲＯＭ２５は、ＣＰＵ２４が実行する各処理のプログラム等を格納するメモリである。また、ここには、上記色変換処理に関したルックアップテーブル、４ＤＬＵＴ（基準プロファイル）、１ＤＬＵＴｉ（変換用プロファイル）が格納される。１ＤＬＵＴｉは、印刷装置１０の印刷実行時に指定可能なメディアに応じて格納されており、本実施形態では、２つの１ＤＬＵＴｉ（本実施形態では、ｉは０〜２のいずれかの値）をＲＯＭ２５に格納している。これらＬＵＴの内容については後述する。
【００１７】
本プリンター２における色変換装置は、このコントローラー２１内のＣＰＵ２４、ＲＯＭ２５、及びＲＡＭ２６等で構成されることになる。
【００１８】
次に、エンジンＩ／Ｆ２７は、コントローラー２１と印刷機構２２側とのインターフェースを司る部分である。即ち、エンジンＩ／Ｆ２７は、印刷機構２２で印刷を実行する際に、所定のタイミングで前述したＲＡＭ２６に格納されている画像データー（各色のビットマップデーター）を読み出し、それらに所定の処理を施した後に印刷機構２２側に引き渡す。なお、このエンジンＩ／Ｆ２７には、図示していないが、データーを一時的に格納するメモリ、解凍部、スクリーン処理部等が備えられ、ＲＡＭ２６から読み出した画像データーに対して、圧縮されたデーターの解凍、ドットのデーターへ変換するスクリーン処理などがなされる。また、エンジンＩ／Ｆ２７は、具体的には、ＡＳＩＣで構成されている。
【００１９】
印刷機構２２は、図示していないが、Ｃ（シアン）、Ｍ（マゼンダ）、Ｙ（イエロー）、Ｋ（ブラック）の各トナーや、このトナーを搭載する印刷ヘッド、ヘッドユニットを主走査方向に駆動させるキャリッジ機構、用紙搬送機構等が備えられる。印刷実行時には、キャリッジが印刷ヘッドを主走査方向に往復移動させつつ、用紙搬送機構が用紙を副走査方向に搬送させる。また、ヘッドユニットは、ビットマップデーターを変換して得られたドットのデーターにより指定されるインク量に応じて、Ｃ、Ｍ、Ｙ、Ｋの各インクを用紙に吐出する。
【００２０】
（２）印刷動作
次に、図２をもとに、印刷装置１０で実行される印刷動作を説明する。本実施形態では、この印刷動作において、プリンター２が４ＤＬＵＴと１ＤＬＵＴｉを用いて入力色データーを色材の使用量を示す出力色データーに変換する。また、図２に示す処理により、プリンターは本発明の印刷実行手段を実現する。
【００２１】
ホストコンピューター１から印刷要求を受けると（ステップＳ１）、その印刷データーが解釈されて、ＰＤＬ形式であった画像データーから、画素毎に各色の階調値（インク量階調値）を有するビットマップデーターが生成される（ステップＳ２）。ここでは、一例として、各画素の色はＣＭＹＫ（シアン、マゼンタ、イエロー、ブラック）で表現されるものとし、ホストコンピューター１から受信した画像データーの色空間に従って色が表現される。また、印刷要求の発行は、ホストコンピューター１が表示するＵＩ画面をユーザーが操作することで実行される。 
【００２２】
そして、印刷を行うメディアを識別するメディア情報が取得がされる（ステップＳ３）。即ち、ＣＰＵ２４は、ステップＳ２で解釈した制御データーからホストコンピューター１により指定されたメディアの種別を示すメディア情報を取得する。メディア情報は、色材が記録されるメディアの種別を示す情報であり、本実施形態では、ホストコンピューター１により作成される。メディアの種別としては、例えば、「普通紙」、「光沢紙」、「厚紙」である。無論、メディア情報が指定するメディアは上記した３つに限定されないことはいうまでもない。
【００２３】
次に、４ＤＬＵＴを用いて、ビットマップデーターに色変換処理を実行して、当該プリンター２の色空間で表現されるデーターを取得する（ステップＳ４）。即ち、ＣＰＵ２４は、ビットマップデーターが示す機器非依存の入力色データーを、４ＤＬＵＴを用いて色材の使用量を示す機器依存の出力色データーに変換する。なお、当該プリンター２で使用される色材は、Ｃ（シアン）、Ｍ（マゼンダ）、Ｙ（イエロー）、Ｋ（ブラック）各色のインクであり、ここでは、変換後もＣＭＹＫの色成分値によりビットマップデーターが表現される。
【００２４】
図３に示すように、４ＤＬＵＴは、変換前の各色空間における各色成分（Ｃ、Ｍ、Ｙ、Ｋ）の各軸（Ｃ軸、Ｍ軸、Ｙ軸、Ｋ軸）を複数に分割したときにできる各格子点の各成分値（座標値）に、変換後の色空間における各色成分値を対応付けたものである。具体的には、４ＤＬＵＴは、機器非依存の入力色データーの色空間（ＣA、ＭA、ＹA、ＫA）と、プリンター２の色材の特徴に依存する出力色データーの色空間（ＣB、ＭB、ＹB、ＫB）を対応付けたテーブルである。当該テーブルにより、入力色データーの色成分値を直接出力色データーの色成分値に変換することが可能である。なお、４ＤＬＵＴは、当該プリンター２の設計者により、プリンター２での出力時に色の再現性及び見栄えが優れた画像になるように設計される。
【００２５】
また、入力色データーは、各色成分値（ＣA、ＭA、ＹA、ＫA）を０−２５５の２５６階調で表現しており、そのうち、４ＤＬＵＴには各成分値を１６階調毎に分割した値が記録されている。例えば、Ｋ軸においては、Ｋ0から１６階調毎に、Ｋ255までの入力値が記録されている（Ｋiは、Ｋ（ブラック）のi番目の階調を示す。）。
４ＤＬＵＴに記録される色成分値は、代表点のみを記録する場合意外にも、全ての色成分値を記録するものであってもよい。
【００２６】
変換後のビットマップデーターは、印刷媒体１枚に対してＣＭＹＫ各色のプレーンデーターから構成され、ＲＡＭ２６のイメージバッファに格納される。
【００２７】
そして、記録が行われるメディアの種別が「普通値」である場合は（ステップＳ５：ＹＥＳ）、ステップＳ７に進む。即ち、色材を「普通紙」に記録する場合、ＣＰＵ２４は、ビットマップデーターに対して４ＤＬＵＴを用いた変換のみを行い、１ＤＬＴＵｉによる変換を行わない。また、メディアの種別の判別は、ＣＰＵ２４がステップＳ３において取得したメディア情報をもとに行う。
【００２８】
一方、記録が行われるメディアの種別が「普通紙」以外である場合は（ステップＳ５：ＮＯ）、該当メディアに応じて、変換後のビットマップデーターに対して１ＤＬＵＴｉを用いた変換が行われる（ステップＳ６）。即ち、まず、ＣＰＵ２４は、ステップＳ３において取得したメディア情報をもとに、対応する１ＤＬＵＴｉの選択を行う。そして、ＣＰＵ２４は、ビットマップデーターの出力色データー（ＣB、ＭB、ＹB、ＫB）を、選択された１ＤＬＵＴｉを用いて補正する。
【００２９】
図４は、１ＤＬＵＴｉを示す図である。１ＤＬＵＴｉは、出力色データーの単色の色成分値を、混色の出力色データーに変換するものである。具体的には、出力色データー（ＣB、ＭB、ＹB、ＫB）を構成する単色の各色成分値（インク階調値）と、混色の各色成分値（インク階調値）とが対応付けられたテーブルである。その一例として、１ＤＬＵＴｉには、単色の色成分値：Ｃ B1に対して混色の色成分値：（Ｃ B1、Ｙ B1）が対応付けられている。なお、１ＤＬＵＴｉにおける単色の色成分値と混色の色成分値との対応付けは、後述する手法により分光反射率に基づいて設定される。
【００３０】
そして、プリンター２は、メディア情報に応じて複数の１ＤＬＵＴｉを格納している。例えば、メディア情報が示す３つのメディア種別（「普通紙」、「光沢紙」、「厚紙」）である場合は、「光沢紙」用に１ＤＬＵＴ１を格納し、厚紙用に１ＤＬＵＴ２を格納している。なお、「普通紙」の場合は、４ＤＬＵＴの変換で対応するため、「普通紙」用の１ＤＬＵＴを備えていない。
【００３１】
その後、変換後のビットマップデーターがエンジンＩ／Ｆ２７から読み出されて、ドットのデーターに変換された後に、印刷機構２２での印字処理が実行される（ステップＳ７）。この印字処理では、印刷機構２２が、ドットのデーターをもとに、印刷ヘッドからインクを吐出させてメディアに印刷物を形成する。
【００３２】
印刷機構２２によりメディアに吐出されるインクは、メディアに応じてインク量が調整されたものとなる。例えば、メディアが「厚紙」である場合は、「普通紙」で印刷した場合と色域が近くなるよう、出力色データーの単色の色成分値が混色の色成分値に変換されており、この変換後の出力色データーに応じたインク量が吐出される。
【００３３】
（３）１ＤＬＵＴの作成方法
次に、印刷装置１０で使用される１ＤＬＵＴｉの作成方法について説明する。
図５は、１ＤＬＵＴｉの作成を説明するフローチャートである。また、図６は、１ＤＬＵＴｉの作成を説明する図である。そして、図７は、一例としての色予測モデルを説明する図である。なお、図５のフローチャートで示す処理は、ホストコンピューター１の命令のもと、プリンター２や図示しない測色機を用いつつ実行される処理である。そのため、ホストコンピューター１は、本発明の印刷制御装置を実現する。
【００３４】
まず、ターゲット値（後述するターゲット分光反射率ＴＲ）を取得するためのカラーチャート（ｉ）が作成される（ステップＳ１１）。このカラーチャート（ｉ）は、所定の単色インクで形成されるカラーパッチ（ｊ）を階調値を変化させつつ複数記録して形成される。なお、ｊはカラーパッチを識別する識別子である。例えば、本実施形態では、メディアに対して、２５６階調を１６等分した階調値毎の単色インク（Ｃ、Ｍ、Ｙ、Ｋ）によりパッチ（ｊ）が形成される。ここで、プリンター２は、ＲＯＭ２５内に４ＤＬＵＴを格納しており、カラーパッチ（ｊ）に指定される単色インクは、この４ＤＬＵＴの出力色データーをもとに設定される。本実施形態では、「普通紙」に単色インクを記録してターゲットなるカラーチャート（ｉ）を作成する。
【００３５】
次に、１ＤＬＵＴｉを作成するメディア毎にカラーチャート（ｉ）が作成される（ステップＳ１２）。そのため、ホストコンピューター１は、印刷要求をプリンター２に出力し、該当メディアにカラーチャート（ｉ）を記録させる。ここで作成されるカラーチャート（ｉ）は、単色のインク以外にも、代表的な混色のインクで形成されたカラーパッチ（ｊ）を複数備えるカラーチャート（ｉ）が作成される。具体的には、「光沢紙」に対応したカラーチャート（１）は、光沢紙に対してカラーパッチ（ｊ）が形成される。また、「厚紙」に対応したカラーチャート（２）は、厚紙に対してカラーパッチ（ｊ）が形成される。なお、カラーチャート（０）は、「普通紙」に対応するカラーチャートであり、ステップＳ１１で形成されたものを意味する。
【００３６】
次に、ステップＳ１１で作成されたカラーチャート（ｉ）を測色して、ターゲット分光反射率ＴＲ（j）が取得される（ステップＳ１３）。即ち、ホストコンピューター１は、図示しない測色機に、ステップＳ１１で作成したカラーチャート（ｉ）に含まれる各カラーパッチ（ｊ）の分光反射率Ｒ（λ）を測色させる。このステップで得られるカラーパッチ（ｊ）毎の分光反射率Ｒ（λ）は、１ＤＬＵＴ（ｉ）の作成において基準となる単色の分光反射率（ターゲット分光反射率ＴＲ（j））となる。上述のように、本実施形態では、「普通紙」をもとに形成されたカラーチャート（ｉ）を測色した分光反射率Ｒ（λ）がターゲット分光反射率ＴＲ（j）となる。なお、「普通紙」に形成されたカラーチャート（ｉ）を測色してターゲット分光反射率ＴＲ（j）を得ることは一例にすぎない。以上により、ステップＳ１１の処理において、本発明の出力値取得手段、出力値取得機能が実現される。
【００３７】
図６（ａ）に示すように、各カラーパッチ（ｊ）がそれぞれ単色の出力色データーに対応しているため、これらカラーパッチ（ｊ）を測色することで、図６（ｂ）に示すように単色の各色成分値における分光反射率Ｒ（λ）が取得される。また、測色機は、１つのカラーチャート（ｉ）に対して光源を異ならせた複数の分光反射率を取得する構成としてもよい。その一例として、測色機は、ＣＩＥで規定された、Ａ光源、Ｃ光源、Ｄ光源の各光源により１つのカラーチャート（ｉ）を測色する。そして、取得された異なる光源での分光反射率を平均して、ターゲット分光反射率ＴＲ（j）が取得される。測色機が複数の光源により測色を行う構成とすることで、光源依存性を低減させた１ＤＬＵＴの作成が可能となる。
【００３８】
また、測色機は、波長λ毎に分光反射率Ｒ（λ）を取得するため、横軸を波長λとし、縦軸を分光反射率Ｒ（λ）とすることで、あるカラーパッチ（ｊ）において、波長λ毎の分光反射率Ｒ（λ）の集まりである分光強度分布を取得することができる。特に、人の目に影響を与えるのは可視光（３８０ｎｍから７５０ｎｍ）付近の分光強度分布であるため、測色機は、可視光域でのターゲット分光反射率ＴＲ（j）のみを取得する構成としてもよい。
【００３９】
次に、１ＤＬＵＴを作成するメディアに記録されたカラーチャート（ｉ）を測色して、メディア毎の分光反射率Ｒ（λ）が取得される（ステップＳ１４）。即ち、ホストコンピューター１は、図示しない測色機に、ステップＳ１２で作成された所定メディアでのカラーパッチの分光反射率Ｒ（λ）を測色させる。このステップにおいても、測色機は、１つのカラーパッチに対して光源を変化させつつ複数の分光反射率Ｒ（λ）を取得し、平均値を算出する。
【００４０】
そして、色予測モデルをもとに、ターゲット分光反射率ＴＲ（j）に対応する、所定メディアでの混色の色成分値が取得される（ステップＳ１５）。図７（ａ）に示すように、色予測モデルは、色成分値（インク量）から、分光反射率Ｒs（λ）を取得するモデルである。そのため、色予測モデルを逆引きすることで、ターゲット分光反射率ＴＲ（j）に対応した色成分値を取得することが可能となる。以上、ステップＳ１４、１５の処理により、本発明の変換値取得手段、変換値取得機能が実現される。
【００４１】
色予測モデルが色成分値から分光反射率Ｒｓ（λ）を予測する手法の一例として、公知のノイゲバウアーモデルをもとに説明を行う。図７（ｂ）に示すように、例えば、Ｃ、Ｍ、Ｙの３色のインクをもとに混色の色成分値の分光反射率は、単色インクの分光反射率（Ｒｃ（λ）、Ｒｍ（λ）、Ｒｙ（λ））と、混色インクの分光反射率（Ｒｒ（λ）、Ｒｇ（λ）、Ｒｂ（λ）、Ｒｋ（λ））と、メディアの下地色の分光反射率Ｒｗ（λ）、更には、各インクの面積率に応じたDemichel係数ａｈ（ｈ：ｃ、ｍ、ｙ、ｒ、ｇ、ｂ、ｗ、ｋのいずれか）により下記に示す式（１）で示すことができる。ここで、ｆｈ（ｈはｃ、ｍ、ｙのいずれか）は各インクによる被覆率（ｆｃ、ｆｍ、ｆｙ）を示し、インク階調値をもとに取得することができる。
【００４２】
【数１】
2013135243.tif 000003
【００４３】
そのため、上記した予測手法を使用することで、色予測モデルは、ステップＳ１４で取得された所定メディアにおけるカラーパッチ（ｊ）の分光反射率Ｒ（λ）から、混色の色成分値における分光反射率Ｒｓ（λ）を取得することができる。そして、取得された分光反射率Ｒｓ（λ）の内、ターゲット分光反射率ＴＲ（j）で規定される分光強度分布にマッチするものを、混色インクの色成分値として取得することができる。ここで、ターゲット分光反射率ＴＲ（j）に対応する混色の色成分値の全てを色予測モデルに基づいて取得する以外にも、代表的な混色の色成分値を色予測モデルに基づいて取得し、補間演算により多の混色の色成分値を取得する構成としてもよい。
【００４４】
また、分光強度分布がマッチするものを以下のように規定する。即ち、図６（ｃ）に示すように、分光強度分布が近いものは、各波長λにおける分光反射率Ｒ（λ）の差ΔＲ（λ）の総和ΣΔＲが最も小さいものと考えることができる。そのため、ターゲット分光反射率ＴＲ（j）の分光強度分布と、色予測モデルを用いて取得された分光反射率Ｒｓ（λ）で示される分光強度分布との差分を、波長λ毎に算出し、この差分の総和をΣΔＲとする。そして、求めた差分和ΣΔＲが最も小さい分光反射率Ｒｓ（λ）をターゲット分光反射率ＴＲ（j）にマッチした分光反射率と判断する。
【００４５】
そして、ターゲット分光反射率ＴＲ（j）に対応する単色の色成分値と、ステップＳ１５で選択された混色の色成分値とを対応付けて、１ＤＬＵＴｉを作成する（ステップＳ１６）。即ち、図４に示すように、１ＤＬＵＴｉは、単色インクの色成分値を入力値として、この色成分値に異なる色のインクを含めた混色のインク量の内、分光反射率が近いものを出力値としたテーブルとなる。以上、ステップＳ１６の処理により本発明の、変換プロファイル取得手段、変換プロファイル取得機能が実現される。
【００４６】
そして、１ＤＬＵＴｉの出力値に対して、デューティー制限値を考慮した補正が行われる（ステップＳ１７）。即ち、ＣＰＵ２４は、１ＤＬＵＴｉの出力値により規定されるインクの打ち込み量がメディアのデューティー制限値を越えている場合は、出力値がこのデューティー制限値を超えないよう修正を行う。なお、デューティー制限値は、１ＤＬＵＴ（ｉ）が作成されるメディアに応じて変化する値であるため、ＣＰＵ２４は、メディアに応じて、デューティー制限値を判断する。１ＤＬＵＴｉの出力値を、デューティー制限値を考慮して設定する構成とすれば、メディアに応じてより実用的な変換値を取得することが可能となる。
【００４７】
以下、ホストコンピューター１は、１ＤＬＵＴ＿ｎが作成される全てのメディアに対して１ＤＬＵＴ＿ｎの作成を行う。そして、ホストコンピューター１は、この１ＤＬＵＴ＿ｎをプリンター２に送信し、メインコントローラー２１のＲＯＭ２５に記録させる。
【００４８】
以上により、プリンター２には、１ＤＬＵＴ＿ｎが記録されることとなり、事前に記録された４ＤＬＵＴとを併用して印刷が行われる。
【００４９】
（４）その他の実施形態
印刷装置１０において、ホストコンピューター１が色変換処理を行なう構成としてもよい。この場合、ホストコンピューター１が４ＤＬＵＴと１ＤＬＵＴｉとをそれぞれ記録し、入力色データーを出力色データーに変換する構成とすればよい。
また、プリンター２をインクジェットプリンターとすることは一例であり、これ以外にも、プリンター２がレーザープリンターであってもよい。この場合、出力色データーは、トナーの使用量を示すものとなる。
さらに、ターゲット分光反射率ＴＲ（j）にマッチする混色の色成分値を取得する色予測モデルはどのようなものであってもよい。
【００５０】
以上説明したように、本発明では、メディアに応じて、基準となるプロファイルにより規定される出力色データーを変換する変換用プロファイルを取得することができる。変換用プロファイル（１ＤＬＵＴ）は、メディアに応じて単色の色成分値を混色の色成分値に変換するものであり、従来のプロファイルと比べて情報量を少なくすることができる。そのため、基準となるプロファイルと、この基準となるプロファイルと比べて情報量が少ない変換用プロファイルとを保持するだけで、従来のように入力色データーと出力色データーとの関係を規定するプロファイルをメディアに応じて個別に記録するのと同様の機能を実現することができ、且つ、情報量を少なくすることができる。
【００５１】
なお、本発明は上記実施例に限られるものでないことは言うまでもない。即ち、実施例の中で開示した相互に置換可能な部材および構成等を適宜その組み合わせを変更して適用すること、公知技術であって上記実施例の中で開示した部材および構成等と相互に置換可能な部材および構成等を適宜置換し、またその組み合わせを変更して適用すること、公知技術等に基づいて当業者が上記実施例の中で開示した部材および構成等の代用として想定し得る部材および構成等と適宜置換し、またその組み合わせを変更して適用すること、は本発明の一実施例として開示されるものである。
【符号の説明】
【００５２】
１…ホストコンピューター、２…プリンター、１０…印刷装置、１１…プリンタードライバー、２１…コントローラー、２２…印刷機構、２３…Ｉ／Ｆ、２４…ＣＰＵ、２５…ＲＯＭ、２６…ＲＡＭ、２７…エンジンＩ／Ｆ
【図１】
2013135243.tif 000004
【図２】
2013135243.tif 000005
【図３】
2013135243.tif 000006
【図４】
2013135243.tif 000007
【図５】
2013135243.tif 000008
【図６】
2013135243.tif 000009
【図７】
2013135243.tif 000010